(57)【要約】      （修正有）【課題】表示面上に防水フィルムを備える予め湾曲された表示装置を提供すること。【解決手段】本発明の表示装置１００は、表示面１２０ａを備えた表示装置であり、表示装置は、円柱状物体６００，６００’，６００”の円周方向に沿って円柱状物体に取り付けることが容易であるように円弧状に予め湾曲されており、表示面は、表示装置の湾曲に沿って予め湾曲されており、表示装置は、予め湾曲されている表示面を少なくとも覆うように表示面上に形成された防水フィルムをさらに備える。【選択図】図１
2020118858.tif 000002
【特許請求の範囲】
【請求項１】
表示面を備えた表示装置であって、
前記表示装置は、円柱状物体の円周方向に沿って前記円柱状物体に取り付けることが容易であるように円弧状に予め湾曲されており、
前記表示面は、前記表示装置の湾曲に沿って予め湾曲されており、
前記表示装置は、前記予め湾曲されている表示面を少なくとも覆うように前記表示面上に形成された防水フィルムをさらに備える、表示装置。
【請求項２】
前記防水フィルムは、前記表示面上に真空密着されている、請求項１に記載の表示装置。
【請求項３】
前記表示装置は、前記円柱状物体の半径に応じて前記表示装置の湾曲の度合いを変更することが可能であるように可撓性を有している、請求項１または請求項２に記載の表示装置。
【請求項４】
前記表示装置は、前記表示装置を前記円柱状物体に取り付けるために紐状部材を通すための少なくとも１つの孔をさらに備える、請求項１〜３のいずれか一項に記載の表示装置。
【請求項５】
前記表示装置は、前記表示装置において発生した熱を放出するための放熱部をさらに備える、請求項１〜４のいずれか一項に記載の表示装置。
【請求項６】
前記表示装置は、結露を防止するために通気するための少なくとも１つの孔をさらに備える、請求項１〜５のいずれか一項に記載の表示装置。
【請求項７】
前記表示面には、複数のＬＥＤがマトリクス状に配列されている、請求項１〜６のいずれか一項に記載の表示装置。
【請求項８】
前記防水フィルムは、偏光フィルム、または、低反射性を有するフィルムを含む、請求項１〜７のいずれか一項に記載の表示装置。
【請求項９】
前記表示装置は、車両および／または通行者の接近を検出するセンサと通信可能なように接続されており、
前記表示装置は、通信部を備え、
前記表示装置は、前記センサが前記車両および／または通行者の接近を検出したことに応答して、前記通信部を介して受信した情報を前記表示面に表示するように構成されている、請求項１〜８のいずれか一項に記載の表示装置。
【請求項１０】
表示装置の製造方法であって、前記方法は、
円柱状物体の円周方向に沿って湾曲されたベースを提供することと、
前記湾曲されたベース上に前記湾曲されたベースの表面に沿って、表示面を備える可撓性を有するモジュールを配置することであって、これにより、前記表示面は、前記湾曲されたベースの表面に沿って湾曲する、ことと、
前記湾曲された表示面を少なくとも覆うように防水フィルムを形成することと
を含む、方法。
【請求項１１】
円柱状物体の円周方向に沿って湾曲されたベースを提供することは、
平面状緩衝材を提供することと、
前記平面状緩衝材上に基板を接着させることと、
円柱状物体の湾曲面を備える治具の前記湾曲面に沿って前記平面状緩衝材および前記基板を湾曲させることにより、前記湾曲されたベースを作製することと
を含み、
前記モジュールを配置することは、前記湾曲された基板上に前記湾曲された基板の表面に沿って、前記モジュールを配置することを含む、請求項１０に記載の方法。
【請求項１２】
前記モジュールを配置することは、前記湾曲された基板および前記モジュールが有する磁性を利用して、相互に位置合わせすることを含む、請求項１１に記載の方法。
【請求項１３】
前記モジュールを配置することは、前記湾曲された基板の表面が前記モジュールによって覆われていない部分を形成するように、前記モジュールを配置することを含む、請求項１１または請求項１２に記載の方法。
【請求項１４】
結露を防止するために通気するための少なくとも１つの孔を前記平面状緩衝材と前記基板との間に形成するように、前記平面状緩衝材の一部および前記基板の一部を変形させること
をさらに含む、請求項１１〜１３のいずれか一項に記載の方法。
【請求項１５】
前記防水フィルムを形成することは、前記防水フィルムを前記表示面上に真空密着させることを含む、請求項１０〜１４のいずれか一項に記載の方法。
【請求項１６】
前記防水フィルムを形成した後に、前記モジュールの縁部に沿って前記防水フィルムの上に保護緩衝材を配置すること
をさらに含む、請求項１０〜１５のいずれか一項に記載の方法。
【請求項１７】
前記表示面には、複数のＬＥＤがマトリクス状に配列されている、請求項１０〜１６のいずれか一項に記載の方法。
【請求項１８】
前記防水フィルムは、偏光フィルム、または、低反射性を有するフィルムを含む、請求項１０〜１７のいずれか一項に記載の方法。
【請求項１９】
請求項１〜９のいずれか一項に記載の表示装置と、
前記表示装置と通信可能なように構成されているサーバ装置と
を備える表示システムであって、
前記サーバ装置は、前記表示装置に表示されるべき情報を前記表示装置に送信し、
前記表示装置は、前記受信された情報を前記表示面に表示する、表示システム。
【請求項２０】
前記表示システムは、車両および／または通行者の接近を検出するセンサをさらに備え、前記センサは、前記サーバ装置と通信可能なように構成されており、
前記センサは、車両および／または通行者の接近を検出したことに応答して、信号を前記サーバ装置に送信し、
前記情報は、前記信号に対応する情報である、請求項１９に記載の表示システム。
【請求項２１】
前記表示装置は、所定の範囲内の自動運転車両に、前記情報に対応する信号を送信することが可能なように構成されている、請求項１９または請求項２０に記載の表示システム。
【発明の詳細な説明】
【技術分野】
【０００１】
本発明は、表示装置、その表示装置の製造方法、表示システムに関する。
【背景技術】
【０００２】
従来から、屋外広告媒体として既存の電柱広告をデジタルサイネージ化することが検討されている（例えば、非特許文献１を参照）。
【０００３】
電柱から張り出し型のデジタルサイネージは、地上から４．５ｍ以上のところに設置しなければならないという規制がある。電柱巻き付け型のデジタルサイネージは、地上から１．８ｍ〜２．８ｍの範囲に設置することが可能である。そのため、電柱巻き付け型のデジタルサイネージは、人間の目線や運転者からの目線に合う高さに設置することが可能なデジタルサイネージとして期待されている。
【先行技術文献】
【非特許文献】
【０００４】
【非特許文献１】株式会社マイナビ、“電柱に電子ペーパーを設置し、役立ち情報を表示−中電やDNPが実証実験”、［online］、［平成３１年１月２１日検索］、インターネット<URL:https://news.mynavi.jp/article/20170620-a059/>
【発明の概要】
【発明が解決しようとする課題】
【０００５】
屋外設置型のデジタルサイネージの課題の１つは、十分な防水性能を達成することである。特に、出願人は、電柱巻き付け型のデジタルサイネージとして曲面型のディスプレイを検討してきたが、防水性能に優れた曲面型の表示装置は市販されていない。
【０００６】
従来の防水処理（例えば、コーキング）は、平面型の表示装置に適用された場合であっても防水性能・信頼性が度々問題になっている。また、従来の防水処理（例えば、コーキング）は、「曲がり」に対する耐性（許容量）を十分に有していない。従って、防水性能に優れた曲面型の表示装置を開発するためには、従来の防水処理（例えば、コーキング）に対する問題点を解決する必要があった。
【０００７】
本発明は、防水性能に優れた曲面型の表示装置、その表示装置の製造方法、表示システムを提供することを目的とする。
【課題を解決するための手段】
【０００８】
本発明の１つの局面において、本発明の表示装置は、表示面を備えた表示装置であり、前記表示装置は、円柱状物体の円周方向に沿って前記円柱状物体に取り付けることが容易であるように円弧状に予め湾曲されており、前記表示面は、前記表示装置の湾曲に沿って予め湾曲されており、前記表示装置は、前記予め湾曲されている表示面を少なくとも覆うように前記表示面上に形成された防水フィルムをさらに備える。
【０００９】
本発明の１つの実施形態では、前記防水フィルムは、前記表示面上に真空密着されていてもよい。
【００１０】
本発明の１つの実施形態では、前記表示装置は、前記円柱状物体の半径に応じて前記表示装置の湾曲の度合いを変更することが可能であるように可撓性を有していてもよい。
【００１１】
本発明の１つの実施形態では、前記表示装置は、前記表示装置を前記円柱状物体に取り付けるために紐状部材を通すための少なくとも１つの孔をさらに備えていてもよい。
【００１２】
本発明の１つの実施形態では、前記表示装置は、前記表示装置において発生した熱を放出するための放熱部をさらに備えていてもよい。
【００１３】
本発明の１つの実施形態では、前記表示装置は、結露を防止するために通気するための少なくとも１つの孔をさらに備えていてもよい。
【００１４】
本発明の１つの実施形態では、前記表示面には、複数のＬＥＤがマトリクス状に配列されていてもよい。
【００１５】
本発明の１つの実施形態では、前記防水フィルムは、偏光フィルム、または、低反射性を有するフィルムを含んでいてもよい。
【００１６】
本発明の１つの実施形態では、前記表示装置は、車両および／または通行者の接近を検出するセンサと通信可能なように接続されており、前記表示装置は、通信部を備え、前記表示装置は、前記センサが前記車両および／または通行者の接近を検出したことに応答して、前記通信部を介して受信した情報を前記表示面に表示するように構成されていてもよい。
【００１７】
本発明の１つの局面において、本発明の方法は、表示装置の製造方法であり、前記方法は、円柱状物体の円周方向に沿って湾曲されたベースを提供することと、前記湾曲されたベース上に前記湾曲されたベースの表面に沿って、表示面を備える可撓性を有するモジュールを配置することであって、これにより、前記表示面は、前記湾曲されたベースの表面に沿って湾曲する、ことと、前記湾曲された表示面を少なくとも覆うように防水フィルムを形成することとを含む。
【００１８】
本発明の１つの実施形態では、円柱状物体の円周方向に沿って湾曲されたベースを提供することは、平面状緩衝材を提供することと、前記平面状緩衝材上に基板を接着させることと、円柱状物体の湾曲面を備える治具の前記湾曲面に沿って前記平面状緩衝材および前記基板を湾曲させることにより、前記湾曲されたベースを作製することとを含み、前記モジュールを配置することは、前記湾曲された基板上に前記湾曲された基板の表面に沿って、前記モジュールを配置することを含んでいてもよい。
【００１９】
本発明の１つの実施形態では、前記モジュールを配置することは、前記湾曲された基板および前記モジュールが有する磁性を利用して、相互に位置合わせすることを含んでいてもよい。
【００２０】
本発明の１つの実施形態では、前記モジュールを配置することは、前記湾曲された基板の表面が前記モジュールによって覆われていない部分を形成するように、前記モジュールを配置することを含んでいてもよい。
【００２１】
本発明の１つの実施形態では、前記方法は、結露を防止するために通気するための少なくとも１つの孔を前記平面状緩衝材と前記基板との間に形成するように、前記平面状緩衝材の一部および前記基板の一部を変形させることをさらに含んでいてもよい。
【００２２】
本発明の１つの実施形態では、前記防水フィルムを形成することは、前記防水フィルムを前記表示面上に真空密着させることを含んでいてもよい。
【００２３】
本発明の１つの実施形態では、前記方法は、前記防水フィルムを形成した後に、前記モジュールの縁部に沿って前記防水フィルムの上に保護緩衝材を配置することをさらに含んでいてもよい。
【００２４】
本発明の１つの実施形態では、前記表示面には、複数のＬＥＤがマトリクス状に配列されていてもよい。
【００２５】
本発明の１つの実施形態では、前記防水フィルムは、偏光フィルム、または、低反射性を有するフィルムを含んでいてもよい。
【００２６】
本発明の１つの局面において、本発明のシステムは、上述した表示装置と、前記表示装置と通信可能なように構成されているサーバ装置とを備える表示システムであり、前記サーバ装置は、前記表示装置に表示されるべき情報を前記表示装置に送信し、前記表示装置は、前記受信された情報を前記表示面に表示する。
【００２７】
本発明の１つの実施形態では、前記表示システムは、車両および／または通行者の接近を検出するセンサをさらに備え、前記センサは、前記サーバ装置と通信可能なように構成されており、前記センサは、車両および／または通行者の接近を検出したことに応答して、信号を前記サーバ装置に送信し、前記情報は、前記信号に対応する情報であってもよい。
【００２８】
本発明の１つの実施形態では、前記表示装置は、所定の範囲内の自動運転車両に、前記情報に対応する信号を送信することが可能なように構成されていてもよい。
【発明の効果】
【００２９】
本発明によれば、防水性能に優れた曲面型の表示装置、その表示装置の製造方法、表示システムを提供することが可能である。
【図面の簡単な説明】
【００３０】
【図１】防水性能に優れた曲面型の表示装置１００の構成の一例を示す図
【図２】表示装置１００の好ましい構成の一例を示す図
【図３】表示装置１００の製造方法のフローの一例を示す図
【図４】表示装置１００を備える表示システム１０の構成の一例を示す図
【図５】円柱状物体システムの処理のフローの一例を示す図
【発明を実施するための形態】
【００３１】
以下、本明細書において用いられる用語を定義する。
【００３２】
「円柱状物体」とは、全体形状が略円柱状の物体をいう。「円柱状物体」の一例は、その物体の中心軸に対して垂直な断面の円の半径が均一である円柱であるが、これに限定されない。例えば、その物体の中心軸に対して垂直なある断面の円の半径とその物体の中心軸に対して垂直な別の断面の円の半径とが異なる円錐台形状の物体もまた「円柱状物体」の一例である。「円柱状物体」の具体例は、電力を伝送するための電力柱、電気信号を伝送するための電信柱、電灯（照明用光源）が設置されている電灯柱、交通信号機が設置されている信号柱、および、光反射型の道路標識が設置されている標識柱であるが、これらに限定されない。
【００３３】
本明細書において、「表示装置」は、情報伝達能力を有するコンテンツを表示する装置（例えば、複数のＬＥＤがマトリクス状に配列されている装置）、および、情報伝達能力を有していないコンテンツを表示する装置（例えば、照明装置）を含むように広義に解釈されるべきである。情報伝達能力を有するコンテンツの例は、情報（例えば、画像）であるがこれに限定されない。画像は、静止画および／または動画を含む。画像は、固定表示される単一の画像であってもよいし、ある画像から別の画像に切り替わるように表示される複数の異なる画像であってもよい。情報伝達能力を有していないコンテンツの例は、無地単色の照明用コンテンツ、無地複数色の照明用コンテンツであるがこれらに限定されない。
【００３４】
以下、図面を参照しながら、本発明の実施の形態を説明する。なお、本明細書全体を通して、同一の構成要素には同一の参照数字を使用している。
【００３５】
１．本発明の表示装置
図１は、防水性能に優れた曲面型の表示装置１００の構成の一例を示す。具体的には、図１Ａは、基準半径ｒ１（例えば、ｒ１＝約３０ｃｍ）を有する円柱状物体６００に表示装置１００を取り付けた状態を示す斜視図である。図１Ｂは、比較的小さい半径ｒ２（例えば、ｒ２＝約２０ｃｍ）を有する円柱状物体６００’に表示装置１００を取り付けた状態を示す斜視図である。図１Ｃは、比較的大きい半径ｒ３（例えば、ｒ３＝約４０ｃｍ）を有する円柱状物体６００”に表示装置１００を取り付けた状態を示す斜視図である。なお、上述した円柱状物体の半径ｒ１、ｒ２、ｒ３（約２０ｃｍ、約３０ｃｍ、約４０ｃｍ）は、単なる例示を目的としたものであり、ｒ２＜ｒ１＜ｒ３という関係を満たす限り、これらに限定されることを意図したものではない。また、図１に示される例では、表示装置１００は、基準半径ｒ１を有する円柱状物体６００の湾曲表面に沿うように予め湾曲されているものとする。
【００３６】
表示装置１００は、情報伝達能力を有するコンテンツ（例えば、情報（例えば、画像））、および、情報伝達能力を有していないコンテンツ（例えば、無地単色の照明用コンテンツ、無地複数色の照明用コンテンツ）を表示するための表示面１２０ａを備えている。図１に示されるように、表示装置１００は、円柱状物体６００（例えば、電力柱、電信柱、電灯柱、信号柱、標識柱）の円周方向に沿って円柱状物体６００に取り付けることが容易であるように円弧状に予め湾曲されている。また、図１に示されるように、表示面１２０ａは、表示装置１００の湾曲に沿って予め湾曲されている。さらに、表示装置１００は、予め湾曲されている表示面１２０ａを少なくとも覆うように表示面１２０ａ上に形成された防水フィルムをさらに備える。図１に示される例では、防水フィルムは、表示装置１００の全体を覆うように形成されている。防水フィルムは、例えば、表示面１２０ａに真空密着されている。
【００３７】
表示装置１００は、円柱状物体の半径に応じて表示装置１００の湾曲の度合いを変更することが可能であるように可撓性を有している。例えば、比較的小さい半径ｒ２を有する円柱状物体６００’（図１Ｂ）に取り付ける際の表示装置１００の湾曲の度合いが、基準半径ｒ１を有する円柱状物体６００（図１Ａ）に取り付ける際の表示装置１００の湾曲の度合いよりも大きくなるように表示装置１００が可撓性を有している。このように、表示装置１００は、基準半径ｒ１を有する円柱状物体６００の湾曲表面に沿うように予め湾曲されているが、基準半径ｒ１よりも比較的小さい半径ｒ２を有する円柱状物体６００’の湾曲表面に沿うように変形可能なように構成されている。また、例えば、比較的大きい半径ｒ３を有する円柱状物体６００”（図１Ｃ）に取り付ける際の表示装置１００の湾曲の度合いが、基準半径ｒ１を有する円柱状物体６００（図１Ａ）に取り付ける際の表示装置１００の湾曲の度合いよりも小さくなるように表示装置１００が可撓性を有している。このように、表示装置１００は、基準半径ｒ１を有する円柱状物体６００の湾曲表面に沿うように予め湾曲されているが、基準半径ｒ１よりも比較的大きい半径ｒ３を有する円柱状物体６００”の湾曲表面に沿うように変形可能なように構成されている。
【００３８】
このように、表示装置１００が円柱状物体に取り付けられるときに、表示装置１００の湾曲面が円柱状物体の円周方向に沿うように表示装置１００の湾曲の度合いを変更または調整することが可能である。上述したように表示装置１００が基準半径ｒ１よりも大きいまたは小さい半径を有する円柱状物体の湾曲表面に沿うように変形可能である理由は、表示装置１００を予め湾曲させた状態で防水フィルムを用いて防水処理を行うようにしたからである。従来の防水処理（例えば、コーキング）では許容されない程度の「曲げ」に対しても、防水フィルムはその防水性能を維持することが可能である。防水フィルムは、従来の防水処理よりも「曲げ」に対する耐性を有すると言えるが、平坦な表示装置を防水フィルムを用いて防水処理した後にその防水処理された平坦な表示装置を湾曲させると、防水フィルムは、破損および／または破断してしまう。この点、出願人は、創意工夫を凝らし、表示装置１００を予め湾曲させた状態で防水フィルムを用いて防水処理を行うことにより、防水フィルムの破損および／または破断を防止することに成功した。
【００３９】
表示装置１００は、例えば、図１に示されるように、紐状部材を表示装置１００に通して円柱状物体６００、６００’、６００”に巻きつけることによって、円柱状物体６００、６００’、６００”に取り付けられることが可能なように構成されている。
【００４０】
なお、円柱状物体６００、６００’、６００”に対する表示装置１００の取り付けは、他の態様で行われてもよい。例えば、円柱状物体６００、６００’、６００”に対する表示装置１００の取り付けは、接着テープを用いて行われてもよいし、接着剤を用いて行われてもよい。
【００４１】
なお、表示装置１００の一例は、複数のＬＥＤが表示面１２０ａ上に配列されたＬＥＤ表示装置であるが、これに限定されない。ＬＥＤの代わりに任意の発光素子を用いることも可能である。表示装置１００は、任意のタイプの表示装置であり得るが、表示装置１００が光を発するタイプの表示装置である場合には、情報伝達能力を有するコンテンツを表示することにより情報伝達のための装置として用いられるばかりでなく、情報伝達能力を有していないコンテンツを表示することにより照明用光源として用いられることも可能である。
【００４２】
図２は、表示装置１００の好ましい構成の一例を示す。図２Ａは、表示装置１００の斜視図であり、図２Ｂは、表示装置１００の分解図である。
【００４３】
図２に示される例では、表示装置１００は、ベース１１０と、表示面１２０ａを備えるモジュール１２０と、モジュール１２０を保護するための保護緩衝材１３０とを備えている。表示装置１００は、表示面１２０ａを少なくとも覆う防水フィルムをさらに備えるが、図２において、防水フィルムは図示されていない。ベース１１０は、ベース緩衝材１４０と、基板１５０とを備える。なお、表示装置１００は、ベース１１０および／または保護緩衝材１３０を備えていなくてもよい。
【００４４】
ベース緩衝材１４０は、裏面側（取り付け面側）に緩衝部材（例えば、スポンジ）を備える。円柱状物体６００上に配されるケーブルや円柱状物体６００の表面上の凹凸に沿って緩衝部材が変形することにより、表示装置１００を円柱状物体６００上に非侵襲的に取り付けることが可能である。
【００４５】
基板１５０およびモジュール１２０は、（例えば、磁石を備えることによって）磁性を有している。その磁性を利用することによって、基板１５０上にモジュール１２０をより容易に配置することが可能である。
【００４６】
ベース緩衝材１４０および基板１５０は、表示装置１００を円柱状物体６００に取り付けるための太めの紐状部材（例えば、バンド）を通すための孔１６０を備えていてもよい。図２に示される例では、太めの紐状部材を通すための孔１６０は、ベース緩衝材１４０および基板１５０のそれぞれの四隅に形成されている。
【００４７】
また、ベース緩衝材１４０および基板１５０は、表示装置１００を円柱状物体６００に取り付けることを補助するための細めの紐状部材（例えば、ワイヤ）を通すための孔１７０をさらに備えていてもよい。図２に示される例では、細めの紐状部材を通すための孔１７０は、ベース緩衝材１４０および基板１５０のそれぞれの長辺の中央付近に２つ形成されている。
【００４８】
なお、太めの紐状部材を通すための孔１６０および細めの紐状部材を通すための孔１７０には、孔の強度を高めるためのハトメが装着されていてもよい。
【００４９】
また、図２に示される実施形態では、細めの紐状部材を通すための孔１７０がベース緩衝材１４０および基板１５０のそれぞれの長辺の中央付近に２つずつ形成された例を説明したが、本発明はこれに限定されない。細めの紐状部材を通すための孔１７０の数は、０以上の任意の整数であり、取り付け時に表示装置１００が「浮く」ことを妨げるようにベース緩衝材１４０および基板１５０のそれぞれの長辺の長さに応じて適宜変更され得る。
【００５０】
表示装置１００は、太めの紐状部材を通すための孔１６０に太めの紐状部材を通して、太めの紐状部材を円柱状物体６００に巻きつけることによって（必要に応じて、補助的に、細めの紐状部材を通すための孔１７０に細めの紐状部材を通して、細めの紐状部材を円柱状物体に巻きつけることによって）、円柱状物体６００（例えば、電力柱、電信柱、電灯柱、信号柱、標識柱）に取り付けられることが可能である。
【００５１】
モジュール１２０は、可撓性を有する。モジュール１２０は、表面側（すなわち、表示面１２０ａ）に、複数のＬＥＤがマトリクス状に配置されており、裏面側に、複数のＬＥＤを用いて表示する情報を示す信号および電力を供給するためのコネクタを備える。なお、平面状ベース緩衝材１４０および基板１５０は、図２Ｂに示されるように、複数のＬＥＤを用いて表示する情報を示す信号および電力を供給するためのケーブルを通すための孔を備え得る。
【００５２】
モジュール１２０の表示面１２０ａには、例えば、広告が表示され得る。また、モジュール１２０の表示面１２０ａには、自動車の運転者のために道路交通情報（例えば、渋滞に関する情報、事故多発エリアであることを示す情報、路面凍結を示す情報、速度低下を促す情報、天気に関する情報）が表示されるようにしてもよい。この場合、モジュール１２０は、道路標識として機能することが可能である。また、モジュール１２０の表示面１２０ａには、車両が所定のゾーンに侵入するまたはその所定のゾーンを通過するための料金情報が表示されるようにしてもよい。この場合、モジュール１２０は、ＥＴＣゲートのように機能し、ゾーンプライシングが実現可能なように構成され得る。また、モジュール１２０の表示面１２０ａから照明光（例えば、白色照明光）が発せられるようにしてもよい。この場合、モジュール１２０は、照明用光源として機能することが可能である。また、モジュール１２０の表示面１２０ａには、所定のゾーン内で駐車または停車している車両のための料金情報が表示されるようにしてもよい。この場合、モジュール１２０は、パーキングメーターとして機能することが可能である。モジュール１２０が、電気自動車の充電ステーションにおいて利用される場合も同様である。
【００５３】
図２に示される例では、モジュール１２０は、６つの小モジュールによって構成されているが、本発明はこれに限定されない。モジュール１２０は、１つの大きなモジュールによって構成されていてもよいし、２つ以上の小さなモジュールによって構成されていてもよい。
【００５４】
なお、基板１５０の表面がモジュール１２０によって覆われていない部分を形成するように、モジュール１２０を基板１５０上に配置するようにしてもよい。これにより、モジュール１２０によって覆われていない基板１５０の表面は、表示装置１００に発生した熱を放出するための放熱部として機能することが可能である。
【００５５】
また、表示装置１００は、基板１５０の表面がモジュール１２０によって覆われていない部分を広く形成することによって、広告領域を備えていてもよい。広告領域には、広告が提示される。広告の提示の態様は任意である。例えば、広告は、紙媒体の広告を貼付することによって提示されてもよいし、広告領域に広告を印刷することによって提示されてもよいし、広告領域に広告を塗装することによって提示されてもよい。また、非常用照明光（例えば、非常用白色照明光）が表示面１２０ａから発せられることにより、モジュール１２０は、非常用の照明用光源として機能することも可能である。
【００５６】
また、表示装置１００は、結露を防止するための少なくとも１つの孔をさらに備えていてもよい。これにより、結露によって表示内容が視覚的に認識できなくなってしまうという不具合を防止することが可能である。
【００５７】
また、表示装置１００は、非常用電源を備えていてもよい。これにより、表示装置１００は、表示装置１００の外部からの電力供給が途絶えてしまったときでも、稼働することが可能である。表示装置１００は、非常時には、非常用の画像（例えば、避難経路、警報、道路交通情報（例えば、渋滞に関する情報、被災に関する情報））を表示することにより、非常用の標識として機能することが可能であってもよい。
【００５８】
表示装置１００は、例えば、円柱状物体６００上において、地上から約１．８〜約２．８ｍの高さに取り付けられることが可能である。これにより、表示装置１００は、地上から約４．５ｍ以上の高さに取り付けなければならないと規制されている張り出し型の表示装置（すなわち、円柱状物体６００から張り出すように円柱状物体６００に取り付けられる表示装置）と比較して、歩道上の通行者（例えば、歩行者、自転車の運転者）または自動車の運転手の目線の高さと同程度の高さに取り付けられることが可能である。このため、歩道上の通行者または自動車の運転手は、より容易に表示装置１００の存在を認識することが可能である。
【００５９】
２．本発明の表示装置の製造方法
図３は、表示装置１００の製造方法のフローの一例を示す。以下、図３に示される各ステップを説明する。
【００６０】
ステップＳ３０１：平面状ベース緩衝材１４０を提供する。平面状ベース緩衝材１４０の裏面側（取り付け面側）は、全面に緩衝部材（例えば、スポンジ）を備え、平面状ベース緩衝材１４０の表面側は、接着面である。
【００６１】
ステップＳ３０２：平面状ベース緩衝材１４０に、平面状ベース緩衝材１４０を支持するための基板１５０を接着させる。なお、平面状ベース緩衝材１４０と基板１５０との接着の態様は任意である。平面状ベース緩衝材１４０と基板１５０とは、例えば、接着テープを用いて接着されてもよいし、接着剤を用いて接着されてもよい。また、接着に必要な材料は、平面状ベース緩衝材１４０の表面側に全体的に配置されていてもよいし、平面状ベース緩衝材１４０の表面側に部分的に配置されていてもよい。基板１５０は、例えば、約０．３〜約０．４ｍｍの鉄板であるが、これに限定されない。
【００６２】
なお、ステップＳ３０２の後かつステップＳ３０３の前の任意のタイミングで、以下に示されるように、結露を防止するために通気するための少なくとも１つの孔を平面状ベース緩衝材１４０と基板１５０との間に形成するように、平面状ベース緩衝材１４０の一部および基板１５０の一部を変形させる（例えば、切欠きを形成する）ようにしてもよい。
【化１】
2020118858.tif 000003
【００６３】
ステップＳ３０３：円柱状物体６００の湾曲面を備える治具のその湾曲面に沿って基板１５０が接着した平面状ベース緩衝材１４０を変形することにより、平面状ベース緩衝材１４０および基板１５０を湾曲させ、これにより、湾曲されたベース１１０を作製する。平面状ベース緩衝材１４０および基板１５０を変形させるために、平面状ベース緩衝材１４０および基板１５０を治具に固定するようにしてもよい。
【００６４】
図３に示されるステップＳ３０１〜Ｓ３０３を実行することによって、湾曲されたベース１１０が提供されるが、湾曲されたベース１１０の提供の態様は、これに限定されない。例えば、予め湾曲されたベース緩衝材１４０に、予め湾曲された基板１５０を接着させることによって、湾曲されたベース１１０を作製し、湾曲されたベース１１０を提供するようにしてもよい。
【００６５】
ステップＳ３０４：湾曲されたベース１１０上に、湾曲されたベースの表面に沿って（すなわち、湾曲された基板１５０上に、湾曲された基板１５０の表面に沿って）、可撓性を有する少なくとも１つのモジュール１２０を配置する。これにより、モジュール１２０（およびモジュール１２０の表示面１２０ａ）は、湾曲されたベースの表面（湾曲された基板１５０の表面）に沿って湾曲する。
【００６６】
モジュール１２０の裏面側は、少なくとも１つの磁石をさらに備えていてもよい。これにより、基板１５０およびモジュール１２０が有する磁性を利用して相互に位置合わせして、湾曲された基板１５０上にモジュール１２０を容易に配置することが可能である。
【００６７】
また、基板１５０の表面がモジュール１２０によって覆われていない部分を形成するように、モジュール１２０を基板１５０上に配置してもよい。モジュール１２０によって覆われていない基板１５０の表面は、例えば、表示装置に発生した熱を放出するための放熱部として機能することが可能である。
【００６８】
ステップＳ３０５：湾曲されたモジュール１２０が備える表示面１２０ａを少なくとも覆うように防水フィルムを形成する。防水フィルムは、例えば、表示面１２０ａ上に真空密着され得る。なお、防水フィルムは、他の性能を兼ね備えていてもよい。例えば、防水フィルムは、偏光フィルムであってもよいし、低反射性を有するフィルムであってもよい。
【００６９】
なお、防水フィルムの上に、偏光フィルムまたは低反射性を有するフィルムなどがさらに形成されるようにしてもよい。
【００７０】
ステップＳ３０６：モジュール１２０の縁部に沿って防水フィルムの上に保護緩衝材１３０（例えば、スポンジ）を配置する。保護緩衝材１３０の厚みは、例えば、約１０ｍｍであるが、これに限定されない。
【００７１】
保護緩衝材１３０を配置した後、保護緩衝材１３０、モジュール１２０、湾曲された基板１５０、および湾曲されたベース緩衝材１４０は、治具から取り外され、防水フィルムは、湾曲されたベース緩衝材１４０の背面側へ折り返される。その後、複数のＬＥＤを用いて表示する情報を示す信号および電力を供給するためのケーブルをモジュール１２０上のコネクタに接続し、（例えば、防水テープまたはコーキングシールを用いて）その接続部を防水処理する。
【００７２】
このように、予め湾曲されている表示装置１００を防水フィルムを用いて防水処理することによって、製造過程において、防水フィルムを密着させるための圧力を曲面によって「逃がす」ことによりモジュール１２０を圧潰させることなく、防水フィルムを破損・破断させることもなく、取り付け過程において、表示装置１００の可撓性を利用して、取り付け時に円柱状物体の表面に沿うように湾曲の度合いを調整することが可能な表示装置１００を提供することが可能である。このような表示装置１００の可撓性は、全体が円錐台形形状を有する円柱状物体（例えば、電力柱、電信柱、電灯柱、信号柱、標識柱）に表示装置が取り付けられるときに特に有意である。なぜなら、表示装置１００の長手方向上端の取り付け位置における柱状物の半径が、表示装置１００の長手方向下端の取り付け位置における円柱状物体の半径と異なる場合であっても、表示装置１００の長手方向上端および長手方向下端のそれぞれが独立して円柱状物体の表面に沿うように変形できるからである。
【００７３】
従来の偏光フィルムおよび低反射性を有するフィルムは、平面への貼り付けが想定されているため、弾性が高くない。この点、予め湾曲されている表示装置を防水フィルムを用いて防水処理することによって、弾性が高くない防水フィルムであっても、本発明の表示装置に適用されることが可能である。
【００７４】
なお、図３に示されるステップＳ３０６は省略可能であってもよい。
【００７５】
３．本発明の表示装置を備える表示システム
出願人は、表示装置１００を円柱状物体（例えば、電力柱、電信柱、電灯柱、信号柱、標識柱）に取り付けることによって、道路交通上で役に立つのではないかと考えた。
【００７６】
図４は、表示装置１００を備える表示システム１０の構成の一例を示す。
【００７７】
図４に示される例では、表示システム１０は、本発明の表示装置１００１〜１００Ｎと、表示装置１００１と外部との間の通信を制御する通信部２００１〜２００Ｎと、所定の範囲内の車両（例えば、自動車、電車）および／または通行者（例えば、歩行者、自転車の運転者）の接近を検出するセンサ３００１〜３００Ｎとを備える。表示装置１００１は、表示面１２０ａと、１つ以上のＣＰＵ（Ｃｅｎｔｒａｌ  Ｐｒｏｃｅｓｓｉｎｇ  Ｕｎｉｔ）を含むプロセッサ部１８０と、メモリ部１９０とを備える。なお、図４に示される例では、表示装置１００１および通信部２００１は、円柱状物体に取り付けられており、表示装置１００１と通信部２００１とセンサ３００１とが、１つの円柱状物体システムを構成している。ここで、Ｎは、１以上の任意の整数である。
【００７８】
プロセッサ部１８０は、表示装置１００１全体の動作を制御する。プロセッサ部１８０は、メモリ部１９０に格納されているプログラムを読み出し、そのプログラムを実行する。これにより、表示装置１００１を所望のステップを実行する装置として機能させることが可能である。
【００７９】
メモリ部１９０には、処理を実行するために必要とされるプログラムやそのプログラムを実行するために必要とされるデータ等が格納されている。メモリ部１９０には、例えば、図４に示される処理を実行するためのプログラムが格納されている。ここで、プログラムをどのようにしてメモリ部１９０に格納するかは問わない。例えば、プログラムは、メモリ部１９０にプリインストールされていてもよい。あるいは、プログラムは、ネットワークを経由してダウンロードされることによってメモリ部１９０にインストールされるようにしてもよいし、光ディスクやＵＳＢなどの記憶媒体を介してメモリ部１９０にインストールされるようにしてもよい。
【００８０】
センサ３００１は、表示装置１００１と通信可能なように構成されている。図４に示される例では、センサ３００１は、表示装置１００２〜１００Ｎと通信可能なように構成されていてもよい。他の表示装置および他のセンサについても同様である。なお、円柱状物体システム内において、表示装置１００１とセンサ３００１とが、有線で接続されていてもよいし、無線で接続されていてもよい。
【００８１】
図４に示される例では、表示システム１０は、本発明の表示装置１００１〜１００Ｎおよびセンサ３００１〜３００Ｎと通信することが可能なように構成されているサーバ装置４００をさらに備える。図４に示される例では、表示装置１００１〜１００Ｎと、センサ３００１〜３００Ｎと、サーバ装置４００とは、インターネット５００を介して通信することが可能である。
【００８２】
サーバ装置４００には、センサ３００１〜３００Ｎから受信される所定の信号と情報とを関連付けた情報が格納されているデータベース部（図示せず）が接続されている。あるいは、そのデータベース部は、サーバ装置４００の内部に設けられていてもよい。なお、そのデータベース部は、単一のハードウェア部品で構成されてもよいし、複数のハードウェア部品で構成されてもよい。
【００８３】
サーバ装置４００は、車両および／または通行者の接近を検出したことに応答してセンサ３００１から送信された信号を受信し、受信された信号に対応する情報を表示装置１００１に送信することが可能なように構成され得る。他の表示装置および他のセンサについても同様である。
【００８４】
表示装置１００１〜１００Ｎのそれぞれに表示される情報（例えば、広告、自動車の運転者のために道路交通情報（例えば、渋滞に関する情報、事故多発エリアであることを示す情報、路面凍結を示す情報、速度低下を促す情報、天気に関する情報、緊急車両が接近していることを示す緊急車両接近情報、交通信号に関する情報）、非常用の画像（例えば、避難経路、警報、道路交通情報（例えば、渋滞に関する情報、被災に関する情報））、車両が所定のゾーンに侵入するまたはその所定のゾーンを通過するための料金情報、所定のゾーン内で駐車または停車している車両のための料金情報）は、表示装置１００１〜１００Ｎのそれぞれのメモリ部に格納された情報であってもよいし、サーバ装置４００から送信された情報であってもよい。
【００８５】
なお、図４に示される実施形態では、センサ３００１〜３００Ｎとサーバ装置４００とがインターネット５００を介して表示装置１００１〜１００Ｎと通信可能であると説明したが、本発明はこれに限定されない。インターネット５００の代わりに任意のタイプのネットワークを用いることも可能である。例えば、異なる円柱状物体に取り付けられた異なる表示装置同士で相互に通信可能にするネットワークが用いられてもよい。
【００８６】
また、図４に示される実施形態では、通信部２００１〜２００Ｎのそれぞれが表示装置１００１〜１００Ｎの外部にある例を説明したが、本発明はこれに限定されない。通信部２００１〜２００Ｎは、それぞれ、表示装置１００１〜１００Ｎの内部に設けられていてもよい。また、図４に示される実施形態では、センサ３００１〜３００Ｎとのそれぞれが表示装置１００１〜１００Ｎの外部にある例を説明したが、本発明はこれに限定されない。センサ３００１〜３００Ｎは、それぞれ、表示装置１００１〜１００Ｎの内部に設けられていてもよい。
【００８７】
また、図４に示される実施形態では、表示装置１００１〜１００Ｎとセンサ３００１〜３００Ｎとがサーバ装置４００を介して通信することを説明したが、本発明はこれに限定されない。例えば、表示装置１００１〜１００Ｎは、それぞれ、サーバ装置４００を介することなく、センサ３００１〜３００Ｎと通信することが可能であってもよい。
【００８８】
さらに、例えば、表示装置１００１は、サーバ装置４００を介することなく、表示装置１００２と通信することが可能であってもよい。この場合、例えば、センサ３００１が車両および／または通行者の接近を検出したことに応答して、センサ３００１は、表示装置１００１と、センサ３００１から所定の範囲内の別の表示装置１００２とに、車両および／または通行者の接近を示す信号を送信し、表示装置１００１および表示装置１００２は、受信された信号に対応する情報をメモリ部内で特定し、特定された情報を表示面１２０ａに表示するようにしてもよい。他の表示装置についても同様である。このように、複数の表示装置（特に、複数の表示装置のそれぞれのプロセッサ部）が、自律分散的に動作することによって、情報伝達能力を有するコンテンツ（例えば、情報（例えば、画像））を表示したり、情報伝達能力を有していないコンテンツを表示して照明用光源として機能したりすることが可能であってもよい。
【００８９】
４．円柱状物体システムの処理
図５は、円柱状物体システムの処理のフローの一例を示す。以下、図５に示される各ステップを説明する。
【００９０】
ステップＳ５０１：センサ３００１が、車両および／または通行者の接近を検出したか否かを判定する。判定結果が「Ｙｅｓ」の場合には、処理はステップＳ５０２に進み、判定結果が「Ｎｏ」の場合には、処理は終了（正常終了）する。
【００９１】
ステップＳ５０２：表示装置１００１が、車両および／または通行者の接近に対応する情報（例えば、画像）を表示する。表示される情報は、表示装置１００１のメモリ部１９０内に格納されている情報であってもよいし、サーバ装置４００のデータベース部に格納されている情報であってもよい。
【００９２】
なお、サーバ装置４００のデータベース部に格納されている情報が表示装置１００１に表示される場合には、ステップＳ５０２の前に、センサ３００１が、車両および／または通行者の接近に関する所定の信号をサーバ装置４００に送信し、サーバ装置４００が、データベース部の中から所定の信号に対応する情報を特定し、サーバ装置４００が、特定された情報を表示装置１００１に送信し、表示装置１００１が、通信部２００１を介して特定された情報を受信する。
【００９３】
表示装置１００１のメモリ部１９０内に格納されている情報が表示装置１００１に表示される場合には、ステップＳ５０２の前に、センサ３００１が、車両および／または通行者の接近を検出したことに応答して、車両および／または通行者の接近を示す信号を表示装置１００１に送信し、表示装置１００１が、メモリ部１９０内で、受信された信号に対応する情報を特定する。
【００９４】
ステップＳ５０３：表示装置１００１が、表示される情報に対応する信号を、所定の範囲内で自動的に走行する車両（以下、「自動運転車両」という）に送信する。なお、自動運転車両については、自動的に走行する限り、人間が運転席に座っているか否かを問わない。
【００９５】
このように、自動運転車両に信号を送信することにより、自動運転車両は、人間が運転しているときに知性で危険を察知するように、危険に備えて走行することが可能である。このような信号は、例えば、「事故多発エリアに侵入するため、速度を落とせ」、「トンネル内に侵入し、視界が悪くなるため、前照灯をハイビームに切り替えろ」ということなどを示すものであり得るが、これに限定されない。また、人間が手動で運転する車両（以下、「人間運転車両」という）と自動運転車両とが混在して走行している場面で、表示装置１００１に表示される情報と、自動運転車両に送信される信号とを対応付けることによって、自動運転車両と人間運転車両とが、同じ挙動を取ることができるようにすることが可能である。
【００９６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００９７】
本発明は、防水性能に優れた曲面型の表示装置、その表示装置の製造方法、表示システム等を提供するものとして有用である。
【符号の説明】
【００９８】
１０  表示システム
１００１〜１００Ｎ  表示装置
１１０  ベース
１２０  モジュール
１２０ａ  表示面
１３０  保護緩衝材
１４０  ベース緩衝材
１５０  基板
１６０  孔
１７０  孔
１８０  プロセッサ部
１９０  メモリ部
２００１〜２００Ｎ  通信部
３００１〜３００Ｎ  センサ
４００  サーバ装置
５００  インターネット
６００  円柱状物体
【図１】
2020118858.tif 000004
【図２】
2020118858.tif 000005
【図３】
2020118858.tif 000006
【図４】
2020118858.tif 000007
【図５】
2020118858.tif 000008